(57)【要約】【課題】  本考案は給油所や、ガス充填所、又は駐車場等に設置されるキャノピー装置に関し、特に古くなったキャノピーの屋根補修装置に関する。【解決手段】  古くなったＳＳセールスルーム２の屋根７にハット型鋼板１０を取り付け、ハット型鋼板１０の間に断熱材１２を敷設し、該断熱材１２を覆ってＦＲＰパネル１１をハット型鋼板１０に固定し、更に該固定部にＦＲＰライニングを施し、トップコートを塗布することによって、断熱性能を有し、かつ耐久性の優れたキャノピーの屋根補修装置を提供する。【選択図】  図１
0003141864.tif 000002
【実用新案登録請求の範囲】
【請求項１】
キャノピーの屋根に一定間隔で取り付けられたハット型鋼板と、
該ハット型鋼板の間に敷設された断熱部材と、
該断熱部材を覆って前記ハット型鋼板に側部が固定されたＦＲＰパネルと、
該ＦＲＰパネルの上部をコーティングするコーティング材と、
を有することを特徴とするキャノピーの屋根補修装置。
【請求項２】
前記ＦＲＰパネルが固定された前記ハット型鋼板の上部には、ＦＲＰライニングが施され、該ＦＲＰライニング上にも前記コーティング材が塗布されていることを特徴とする請求項１記載のキャノピーの屋根補修装置。
【請求項３】
前記キャノピーの屋根は、ＳＳセールスルームの屋根であることを特徴とする請求項１、又は２記載のキャノピーの屋根補修装置。
【請求項４】
前記キャノピーの屋根は、燃料供給エリア建物の屋根であることを特徴とする請求項１、又は２記載のキャノピーの屋根補修装置。
【請求項５】
前記キャノピーの屋根は、波状鋼板で形成されていることを特徴とする請求項１、２、３、又は４記載のキャノピーの屋根補修装置。
【請求項６】
前記ハット型鋼板への前記ＦＲＰパネルの固定は、シンワッシャーを使用して行われることを特徴とする請求項１、２、３、４、又は５記載のキャノピーの屋根補修装置。
【考案の詳細な説明】
【技術分野】
【０００１】
本考案は給油所や、ガス充填所、又は駐車場等に設置されるキャノピー装置に関し、特に古くなったキャノピーの屋根補修装置に関する。
【背景技術】
【０００２】
今日、給油所や、ガス充填所、又は駐車場等に設置されるキャノピー施設は、敷地に立設した支柱上に屋根部がオーバーハングした状態で設けられている。このような屋根は、鉄板で形成され、防水コートで施工されているが、日中の日差しや、雨、風に晒されるため、例えば６〜７年で、錆びが生じ、雨漏り等の原因になる。
【０００３】
特許文献１の発明は、上記問題を解決するため、屋根の表面に光触媒層を備え、裏面の端部に、裏面への水滴の回りこみを防ぐための撥水層を備える防汚機能付き屋根材が提案されている。
【特許文献１】特開２００４−２７０３７１号公報
【考案の開示】
【考案が解決しようとする課題】
【０００４】
しかしながら、上記従来の屋根材では、雨水に対しては有効であるが、太陽からの強い日差しや風による影響について考慮されておらず、屋根の表面に光触媒層を備えるだけでは、屋根の劣化を防止できない。また、安価で既存のキャノピー屋根の補修方法が求められている。
【０００５】
そこで、本考案は防水断熱ＦＲＰパネルをキャノピーの屋根補修に使用することによって、優れた断熱性を有し、耐久性の優れたキャノピーの屋根補修装置を提供するものである。
【課題を解決するための手段】
【０００６】
上記課題は第１の考案によれば、キャノピー屋根に一定間隔で取り付けられたハット型鋼板と、該ハット型鋼板の間に敷設された断熱部材と、該断熱部材を覆って前記ハット型鋼板に端部が固定されたＦＲＰパネルと、該ＦＲＰパネルの上部をコーティングするコーティング材とを有するキャノピーの屋根補修装置を提供することによって達成できる。
【０００７】
また、上記課題は第２の考案によれば、前記ＦＲＰパネルが固定された前記ハット型鋼板の上部には、ＦＲＰライニングが施され、該ＦＲＰライニング上にも前記コーティング材が塗布されているキャノピーの屋根補修装置を提供することによって達成できる。
【０００８】
また、上記課題は第３の考案によれば、前記キャノピーの屋根は、ＳＳセールスルームの屋根であるキャノピーの屋根補修装置を提供することによって達成できる。
【０００９】
また、上記課題は第４の考案によれば、前記キャノピーの屋根は、燃料供給エリア建物の屋根であるキャノピーの屋根補修装置を提供することによって達成できる。
【００１０】
また、上記課題は第５の考案によれば、前記キャノピーの屋根は、波状鋼板で形成されているキャノピーの屋根補修装置を提供することによって達成できる。
【００１１】
また、上記課題は第６の考案によれば、前記ハット型鋼板への前記ＦＲＰパネルの固定は、シンワッシャーを使用して行われるキャノピーの屋根補修装置を提供することによって達成できる。
【考案の効果】
【００１２】
本考案によれば、ＳＳセールスルームや駐車場等の屋根の補修が安価に行え、耐久性に優れた屋根の補修装置を提供することができる。また、従来に比べて安価であり、断熱性にも優れた屋根補修装置を提供することができる。
【考案を実施するための最良の形態】
【００１３】
以下、本考案の実施の形態を図面を参照しながら説明する。
【００１４】
図２は、ガソリン補給装置等を敷地上に有する給油所１の斜視図である。
【００１５】
同図において、給油所１には事務所建物（以下、ＳＳセールスルームで示す）２と、複数本の支柱３の上部に設けられた屋根で構成される燃料供給エリア建物４が設置されている。また、燃料供給エリア建物４は、燃料供給エリア５に設置されたガソリン補給装置６の上部を覆うように設置されている。
【００１６】
図３は、上記給油所１に設けられたＳＳセールスルーム２の屋根７の状態を示す斜視図である。ＳＳセールスルーム２の屋根７は、同図に示すように波状の鋼板で形成され、周囲を庇で覆っている。この屋根７の構成は、燃料供給エリア建物４の屋根も同じ構成である。
【００１７】
本例は、上記波状鋼板で構成された屋根７に防水断熱ＦＲＰパネルを設置する考案であり、図１にその構成を示す。同図に示す屋根７は上記波状鋼板であり、本例のキャノピーの屋根補修装置は、屋根（波状鋼板）７にハット型鋼板１０を取り付け、このハット型鋼板１０に上記ＦＲＰパネル１１を固定し、屋根７とＦＲＰパネル１１の間に断熱材１２を介装する構成である。
【００１８】
ここで、ハット型鋼板１０は長尺であり、例えば上記ＳＳセールスルーム２（屋根７）の幅と同じ長さを有し、屋根７の一端の支柱から他端の支柱に取り付けることが可能な長さを有する。
【００１９】
また、ＦＲＰパネル１１（Fiber-Reinforced-Plastics）は、熱硬化性樹脂であり、樹脂をガラス繊維等で強化した材料である。また、引張強度、曲げ強度、圧縮強度、耐磨耗性等に優れ、シームレスであり、漏水を防止する。また、断熱材１２としては、例えばスチレンボードが使用される。
【００２０】
以下、本例の屋根補修方法について説明する。
【００２１】
図４乃至図８は、本例の屋根補修方法を説明する図である。本例の屋根補修方法は、先ず図４に示すように、屋根（波状鋼板）７に所定間隔でハット型鋼板１０を取り付ける。例えば、波状鋼板に対して直交する方向に、ハット型鋼板１０を１ｍ間隔で取り付ける。この取り付けは、例えばドリルスクリュー等を使用し、波状鋼板の凸部に穴を開け、該穴にボルトを通してハット型鋼板１０を固定する。この作業により、屋根（波状鋼板）７に所定間隔でハット型鋼板１０が取り付けられる。
【００２２】
次に、図５に示すように、上記ハット型鋼板１０間に断熱材１２を設置する。断熱材１２は前述のように、スチレンボードであり、隣合うハット型鋼板１０間に隙間無く設置する。
【００２３】
次に、図６に示すように、断熱材１２上の前述のＦＲＰパネル１１を敷き込み、アンカーで固定する。例えば、断熱材１２上に敷き込まれたＦＲＰパネル１１の端部を前述のハット型鋼板１０に固定する。この場合、隣合うＦＲＰパネル１１を重ね合わせて同じハット型鋼板１０の位置に固定する。尚、この固定には、例えばシンワッシャーを使用し、発生したバリ等はテクノディスクを使用して滑らかに加工する。
【００２４】
次に、図７に示すように、ＦＲＰパネル１１の接合部、即ちハット型鋼板１０にＦＲＰパネル１１を固定した部分にＦＲＰライニング処理１３を行う。すなわち、同図に示すように、ハット型鋼板１０に沿って、テクノエーテープを貼着し、ＦＲＰフィールドライニング処理を行う。
【００２５】
その後、同図に示すように、ＦＲＰパネル１１及びＦＲＰライニング１３の上面にコーティングを行う。このトップコートは、防火用トップコート、遮熱用トップコートを塗布する構成としてもよい。
以上のように処理することにより、ＳＳセールスルーム２の屋根７の補修を容易に行い、耐久性に優れた屋根の補修装置を提供することができる。また、従来に比べて安価であり、断熱性にも優れた屋根補修装置を提供することができる。
【００２６】
尚、上記実施形態の説明では、ＳＳセールスルーム２の屋根７の補修について説明したが、図２に示す燃料供給エリア建物４の屋根についても同様に施工することができる。また、給油所１に限らず、本考案のキャノピーの屋根補修装置は、他のガス充填所や、駐車場等のキャノピーの屋根補修に適用することができる。
【００２７】
さらに、断熱材１２の材料として、スチレンボードを使用する例で説明したが、スチレンボードに限定されるものではない。また、ハット型鋼板１０は、ＳＳセールスルーム２（屋根７）の幅と同じ長さである必要は必ずしもない。
【図面の簡単な説明】
【００２８】
【図１】ＳＳセールスルームの屋根に防水断熱ＦＲＰパネルを設置する構成を示す図である。
【図２】ガス充填所等を敷地上に有する給油所の斜視図である。
【図３】給油所に設けられたＳＳセールスルーム２の屋根の状態を示す斜視図である。
【図４】本実施形態の屋根補修方法を説明する図であり、屋根にハット型鋼板を取り付ける構成を示す図である。
【図５】本実施形態の屋根補修方法を説明する図であり、ハット型鋼板間に断熱材を設置する構成を示す図である。
【図６】本実施形態の屋根補修方法を説明する図であり、断熱材上のＦＲＰパネルを敷き込み、アンカーで固定する構成を示す図である。
【図７】本実施形態の屋根補修方法を説明する図であり、ハット型鋼板にＦＲＰパネルを固定した部分をＦＲＰライニングし、ＦＲＰパネル及びＦＲＰライニングの上面にコーティングを行う構成を示す図である。
【符号の説明】
【００２９】
１・・・給油所
２・・・ＳＳセールスルーム
３・・・支柱
４・・・燃料供給エリア建物
５・・・燃料供給エリア
６・・・燃料供給装置
７・・・屋根
１０・・ハット型鋼板
１１・・ＦＲＰパネル
１２・・断熱材
１３・・ＦＲＰライニング処理
【図１】
0003141864.tif 000003
【図２】
0003141864.tif 000004
【図３】
0003141864.tif 000005
【図４】
0003141864.tif 000006
【図５】
0003141864.tif 000007
【図６】
0003141864.tif 000008
【図７】
0003141864.tif 000009